(57)【要約】  【課題】  表示画面内で使用者が指定した表示項目に対応して生成される表示領域を使用者が容易に確認することができる表示領域生成方法、及び情報処理装置を提供する。  【解決手段】  本発明の情報処理装置は、表示画面２１に表示したアイコン（表示項目）２２の指定を受け付け、アイコン２２に対応づけられた処理の実行に係る情報を表示する表示ウィンドウ（表示領域）２４を表示画面２１内に生成する前に、アイコン２２の表示位置から表示ウィンドウ２４の生成位置まで移動する図形２３を表示画面２１内に表示する。また移動する図形２３を表示する際には、図形２３が移動するアニメーションを表示するのではなく、アイコン２２の表示位置から表示ウィンドウ２４の生成位置まで表示位置をずらしながら図形２３の静止画像を順次表示することによって、移動する図形２３を表現する。【選択図】        図４
2007094530.tif 000002
【特許請求の範囲】
【請求項１】
情報処理装置にて、実行すべき処理に対応づけた表示項目を内部又は外部の表示画面に表示し、使用者の操作による前記表示画面に表示した前記表示項目の指定を受け付け、指定を受け付けた前記表示項目に対応づけられた処理の実行に係る情報を表示するための表示領域を前記表示画面内に生成する方法において、
使用者の操作による前記表示項目の指定を受け付けた場合に、指定を受け付けた前記表示項目の表示位置から前記表示項目に応じた前記表示領域を生成させるべき生成位置まで前記表示画面内を移動する所定の図形を前記表示画面に表示し、
前記所定の図形が前記生成位置まで移動した後に、前記表示画面に前記表示領域を生成すること
を特徴とする表示領域生成方法。
【請求項２】
実行すべき処理に対応づけた表示項目を内部又は外部の表示画面に表示する手段と、前記表示画面に表示した前記表示項目の指定を受け付ける受付手段と、該受付手段が指定を受け付けた前記表示項目に対応づけられた処理の実行に係る情報を表示するための表示領域を前記表示画面内に生成する生成手段とを備える情報処理装置において、
前記受付手段が前記表示項目の指定を受け付けた場合に、前記受付手段が指定を受け付けた前記表示項目に応じた前記表示領域を前記表示画面内に生成すべき生成位置を決定する位置決定手段と、
前記受付手段が指定を受け付けた前記表示項目の表示位置から前記位置決定手段が決定した前記生成位置まで前記表示画面内を移動する所定の図形を前記表示画面に表示する図形表示手段とを備え、
前記生成手段は、前記生成位置まで前記所定の図形が移動した後に前記表示画面内の前記生成位置に前記表示領域を生成するように構成してあること
を特徴とする情報処理装置。
【請求項３】
前記表示項目に応じた前記表示領域を前記表示画面内に生成すべき生成位置を示す位置情報を記憶する手段を更に備え、
前記位置決定手段は、前記受付手段が指定を受け付けた前記表示項目に係る前記位置情報に基づいて、前記表示項目に応じた前記表示領域を前記表示画面内に生成すべき生成位置を決定するように構成してあること
を特徴とする請求項２に記載の情報処理装置。
【請求項４】
前記所定の図形の静止画像を記憶する手段を更に備え、
前記図形表示手段は、前記受付手段が指定を受け付けた前記表示項目の表示位置から前記位置決定手段が決定した前記生成位置までの前記表示画面内の夫々の位置に前記静止画像を順次表示させるように構成してあること
を特徴とする請求項２又は３に記載の情報処理装置。
【発明の詳細な説明】
【技術分野】
【０００１】
本発明は、実行すべき処理に対応づけたアイコン等の表示項目を表示画面に表示しておき、使用者がいずれかの表示項目を指定した場合に表示項目に対応づけられた処理を実行する情報処理装置で、表示項目に対応づけられた処理の実行に係る情報を表示するための表示領域を生成する表示領域生成方法、及び情報処理装置に関する。
【背景技術】
【０００２】
従来、パーソナルコンピュータ（ＰＣ）又はテレビジョン受像機等の表示画面を備える情報処理装置を使用者が操作する方法として、グラフィカルユーザインタフェース（ＧＵＩ）が用いられている。典型的なＧＵＩでは、画面内に複数のアイコンを並べて表示しておき、使用者がマウス又はカーソルキー等のポインティングデバイスを用いて画面内のいずれかのアイコンを指定した場合に、情報処理装置は指定されたアイコンに対応づけられた処理を実行する。多くの場合、アイコンを指定された情報処理装置は、処理の実行に係る情報を表示する表示ウィンドウを表示画面内に生成し、実行している処理の内容を使用者が確認できるようにする。
【特許文献１】特開２００５−７１０９６号公報
【発明の開示】
【発明が解決しようとする課題】
【０００３】
前述の如き情報処理装置では、指定されたアイコンに係る表示ウィンドウを生成する際に、通常、表示画面内のアイコンとは別の位置にウィンドウを生成する。従って、使用者にはどの位置に表示ウィンドウが生成されるかを予測することができず、表示ウィンドウ内に表示される情報を見落とす可能性があるという問題がある。特に、表示画面内に複数のウィンドウを同時に表示可能な情報処理装置の場合では、使用者が指定したアイコンに係るウィンドウを見失う可能性がある。
【０００４】
本発明は、斯かる事情に鑑みてなされたものであって、その目的とするところは、表示画面内で使用者が指定したアイコンに対応して生成される表示ウィンドウを使用者が容易に確認することができる表示領域生成方法及び情報処理装置を提供することにある。
【課題を解決するための手段】
【０００５】
本発明に係る表示領域生成方法は、情報処理装置にて、実行すべき処理に対応づけた表示項目を内部又は外部の表示画面に表示し、使用者の操作による前記表示画面に表示した前記表示項目の指定を受け付け、指定を受け付けた前記表示項目に対応づけられた処理の実行に係る情報を表示するための表示領域を前記表示画面内に生成する方法において、使用者の操作による前記表示項目の指定を受け付けた場合に、指定を受け付けた前記表示項目の表示位置から前記表示項目に応じた前記表示領域を生成させるべき生成位置まで前記表示画面内を移動する所定の図形を前記表示画面に表示し、前記所定の図形が前記生成位置まで移動した後に、前記表示画面に前記表示領域を生成することを特徴とする。
【０００６】
本発明に係る情報処理装置は、実行すべき処理に対応づけた表示項目を内部又は外部の表示画面に表示する手段と、前記表示画面に表示した前記表示項目の指定を受け付ける受付手段と、該受付手段が指定を受け付けた前記表示項目に対応づけられた処理の実行に係る情報を表示するための表示領域を前記表示画面内に生成する生成手段とを備える情報処理装置において、前記受付手段が前記表示項目の指定を受け付けた場合に、前記受付手段が指定を受け付けた前記表示項目に応じた前記表示領域を前記表示画面内に生成すべき生成位置を決定する位置決定手段と、前記受付手段が指定を受け付けた前記表示項目の表示位置から前記位置決定手段が決定した前記生成位置まで前記表示画面内を移動する所定の図形を前記表示画面に表示する図形表示手段とを備え、前記生成手段は、前記生成位置まで前記所定の図形が移動した後に前記表示画面内の前記生成位置に前記表示領域を生成するように構成してあることを特徴とする。
【０００７】
本発明に係る情報処理装置は、前記表示項目に応じた前記表示領域を前記表示画面内に生成すべき生成位置を示す位置情報を記憶する手段を更に備え、前記位置決定手段は、前記受付手段が指定を受け付けた前記表示項目に係る前記位置情報に基づいて、前記表示項目に応じた前記表示領域を前記表示画面内に生成すべき生成位置を決定するように構成してあることを特徴とする。
【０００８】
本発明に係る情報処理装置は、前記所定の図形の静止画像を記憶する手段を更に備え、前記図形表示手段は、前記受付手段が指定を受け付けた前記表示項目の表示位置から前記位置決定手段が決定した前記生成位置までの前記表示画面内の夫々の位置に前記静止画像を順次表示させるように構成してあることを特徴とする。
【０００９】
本発明においては、情報処理装置は、内部又は外部の表示画面に表示したアイコン等の表示項目の指定を受け付けた場合、指定された表示項目に対応づけられた処理に係る情報を表示する表示領域を表示画面内に生成させる前に、指定された表示項目の表示位置から表示領域の生成位置まで移動する所定の図形を表示画面内に表示する。
【００１０】
また本発明においては、情報処理装置は、表示項目に応じた表示領域を生成する生成位置を示す位置情報に基づいて、表示領域の生成位置を決定する。
【００１１】
また本発明においては、表示画面内を移動する図形を表示する際に、図形が移動するアニメーションを表示するのではなく、表示項目の表示位置から表示領域の生成位置まで表示の位置をずらしながら図形の静止画像を順次表示することによって、移動する図形を表現する。
【発明の効果】
【００１２】
本発明にあっては、使用者がアイコン等の表示項目を指定した場合に、表示画面内で表示項目の表示位置から所定の図形が移動した先で表示項目に応じた表示領域が生成されるので、使用者は、指定した表示項目に応じて表示領域が生成される位置を即座に確認することができる。従って、使用者が指定した表示項目に対応づけられた処理の実行に係る情報を見逃す可能性が低下する。
【００１３】
また本発明にあっては、図形の静止画像を順次表示することによって移動する図形を表現することにより、表示画面内に表示する表示項目の夫々についてアニメーションデータを用意しておく必要がなく、図形を移動させる範囲の自由度が広い。従って、表示項目の表示位置と表示項目に応じた表示領域の生成位置とがどのような位置関係にあっても、表示項目の表示位置から表示領域の生成位置まで移動させる図形の表示を容易に実行することができる等、本発明は優れた効果を奏する。
【発明を実施するための最良の形態】
【００１４】
以下本発明をその実施の形態を示す図面に基づき具体的に説明する。本実施の形態においては、本発明の情報処理装置がテレビジョン受像機に画像を出力させる画像出力装置である例を用いて本発明を説明する。
【００１５】
図１は、本発明の情報処理装置の一例である画像出力装置１の内部構成を示すブロック図である。本発明の情報処理装置である画像出力装置１は、テレビジョン受像機２に接続されており、テレビジョン受像機２に画像を表示させる処理を行う構成となっている。画像出力装置１は、画像出力装置１全体の動作を制御する制御部１１を備えている。制御部１１には、画像出力装置１が各種の処理を実行する際に必要な情報を記憶するＲＡＭ１２と、画像出力装置１を制御部１１が制御するための制御プログラムを記憶するＲＯＭ１３とが接続されている。また制御部１１には、使用者が操作するリモートコントローラ（リモコン）３から送信された信号を受信するリモコン受信部１４が接続されている。
【００１６】
また制御部１１には、画像信号及び音声信号の処理及び伝送を行う信号処理部１５が接続されている。制御部１１及び信号処理部１５には、地上波放送、衛星放送、有線放送、アナログ放送、デジタル放送等の各種の放送を受信するためのチューナ部１７が接続されている。チューナ部１７は、図示しない外部のアンテナ又は通信線に接続されており、このアンテナ又は通信線を介して各種の放送信号を受信する。信号処理部１５は、チューナ部１７が受信した放送信号をデコードして画像信号及び音声信号に変換する等の信号処理を行う。またチューナ部１７は、番組に対応する放送信号以外に、電子番組表（ＥＰＧ）データを受信することが可能であり、画像出力装置１は、受信したＥＰＧデータを利用した番組選択を行うことができる構成となっている。
【００１７】
また制御部１１及び信号処理部１５には、光ディスク又はメモリカード等の可搬型の記録媒体に対してデータの記録及び読み出しを行うドライブ部１８と、データを記録するハードディスクドライブ（ＨＤＤ）１９とが接続されている。信号処理部１５は、チューナ部１７が受信した放送信号を処理して記録用にエンコードし、制御部１１は、信号処理部１５がエンコードしたデータをドライブ部１８又はＨＤＤ１９に記録させることによって、放送された番組を録画する処理を行うことができる。
【００１８】
また信号処理部１５には、外部へ画像信号及び音声信号を出力する出力部１６が接続されている。出力部１６は、ブラウン管ディスプレイ又は液晶ディスプレイ等を用いたテレビジョン受像機２に接続可能な構成となっている。信号処理部１５は、チューナ部１７が受信した放送信号又はドライブ部１８若しくはＨＤＤ１９が読み出したデータを処理し、出力部１６は、信号処理部１５がデータを処理した画像信号及び音声信号をテレビジョン受像機２へ出力する。テレビジョン受像機２は、画像出力装置１からの画像信号及び音声信号に基づき、画像を表示して音声を出力する。
【００１９】
次に、以上の構成でなる画像出力装置１が行う処理を説明する。図２は、テレビジョン受像機２が画像を表示した表示画面の例を示す模式図である。画像出力装置１は、画像の表示又は録画等の処理を実行する際に、実行すべき処理を使用者の操作により選択するためのメニュー画面をテレビジョン受像機２に表示させる。図２には、テレビジョン受像機２で表示すべき画像の種類を選択するためのメニュー画面の例を示している。図２に示す如く、メニュー画面では、画像出力装置１は、テレビジョン受像機２の表示画面２１内に、実行すべき処理の夫々に対応づけたアイコン（表示項目）２２，２２，…を表示させる。図２に示した例では、テレビジョン放送された番組の画像を表示する処理、番組表を用いて画像を表示すべき番組を選択する処理、ＨＤＤ１９で記録してある画像を再生する処理、及び光ディスクに記録された画像をドライブ部１８を用いて再生する処理の夫々に対応づけたアイコン２２が表示されている。なお、表示項目としては、アイコン以外に、処理の内容を示す文字の表示等を用いてもよい。
【００２０】
図２に示す如きメニュー画面を確認した使用者は、リモコン３を用いて、画像出力装置１が実行すべき処理を選択する。このとき、使用者は例えばリモコン３に設けられたカーソルキーを操作する。リモコン３は操作に応じた信号を送信し、リモコン受信部１４はリモコン３からの信号を受信する。制御部１１は、リモコン３からの信号に応じて、表示画面２１内にカーソルを表示させるか、又は一のアイコン２２の色を他とは別の色にする等により、使用者によるリモコン３の操作に応じて表示画面２１内の一のアイコン２２を選択する処理を行う。画像出力装置１が実行すべき処理に対応づけたアイコン２２を選択した上で、例えば使用者がリモコン３に設けられた決定キーを操作し、リモコン３が操作に応じた信号を送信してリモコン受信部１４が受信し、画像出力装置１はアイコン２２の指定を受け付ける。このようにして、リモコン受信部１４は本発明に係る受付手段として機能する。
【００２１】
リモコン受信部１４でアイコン２２の指定を受け付けた場合は、画像出力装置１は、本発明の表示領域生成方法を用いて、指定されたアイコン２２に対応づけられた処理の実行に係る情報を表示するための表示ウィンドウ（表示領域）を表示画面２１内に表示させる処理を行う。画像出力装置１のＲＯＭ１３は、各アイコン２２に応じた表示ウィンドウを生成すべき表示画面２１内の位置を示す位置情報を記憶している。またＲＯＭ１３は、ボール状の形状をなす図形の静止画像をテレビジョン受像機２に表示させるための画像データを記憶している。なお、位置情報及び画像データは制御プログラムに含まれていてもよい。図３は、画像出力装置１が表示画面２１内にアイコン２２に応じた表示ウィンドウを生成させる処理の手順を示すフローチャートである。制御部１１は、ＲＯＭ１３が記憶する制御プログラムに従って以下の処理を実行する。
【００２２】
制御部１１は、テレビジョン受像機２が表示画面２１内に表示しているアイコン２２，２２，…の内から一のアイコン２２の指定をリモコン受信部１４で受け付けることを待ち受けている（Ｓ１）。アイコン２２の指定の受付がない場合は（Ｓ１：ＮＯ）、制御部１１は、アイコン２２の指定の受付の待ち受けを続行する。アイコン２２の指定をリモコン受信部１４で受け付けた場合は（Ｓ１：ＹＥＳ）、制御部１１は、ＲＯＭ１３が記憶している位置情報を読み出して、指定されたアイコン２２に対応づけられた処理の実行に係る情報を表示するための表示ウィンドウを生成すべき表示画面２１内での生成位置を決定する（Ｓ２）。制御部１１は、次に、所定の画像信号を出力部１６からテレビジョン受像機２へ送信することにより、指定されたアイコン２２の表示位置から、表示ウィンドウを生成すべき生成位置まで、画像データが表す図形の静止画像を表示画面２１内に順次表示させる（Ｓ３）。これによって、アイコン２２の表示位置から表示ウィンドウの生成位置まで移動する図形をテレビジョン受像機２が表示画面２１内に表示する。制御部１１は、次に、所定の画像信号を出力部１６からテレビジョン受像機２へ送信することにより、指定されたアイコン２２に対応づけられた処理の実行に係る情報を表示するための表示ウィンドウを表示画面２１内に生成する（Ｓ４）。画像出力装置１は、表示ウィンドウを生成する処理を以上で終了し、指定されたアイコン２２に対応づけられた処理を実行して、処理の実行に係る情報を表示ウィンドウ内に表示させる。
【００２３】
図４は、表示ウィンドウを生成する際の表示例を示す模式図である。図４（ａ）には移動する図形２３の表示例を示し、図４（ｂ）には表示ウィンドウ２４の表示例を示す。図２に示す表示画面内で番組表のアイコン２２が指定された場合は、図２（ａ）に示す如く、アイコン２２の表示位置から表示ウィンドウ２４が生成されるべき生成位置の中心までボール状の図形２３が順次表示される。図４（ａ）には、表示ウィンドウ２４が生成されるべき位置の中心に表示された図形２３を実線で示し、この位置に表示されるまでに順次表示された図形２３を破線で示している。図形２３が順次表示されることで、使用者の目には移動している図形２３が表示されるように見える。図形２３が最終的な位置に表示された後、図４（ｂ）に示す如く、表示画面２１内に表示ウィンドウ２４が生成され、番組表から番組を選択する処理を行うために表示ウィンドウ２４に番組表が表示される。なお、図形２３を表示する最終的な位置は、表示ウィンドウ２４の生成位置の端等、生成位置の中心以外の位置であってもよい。
【００２４】
以上詳述した如く、本発明の情報処理装置である画像出力装置１は、テレビジョン受像機２の表示画面２１内に表示させたアイコン２２の指定を受け付け、アイコン２２に対応づけられた処理に係る情報を表示する表示ウィンドウ２４を表示画面２１内に生成させる前に、アイコン２２の表示位置から表示ウィンドウ２４を生成すべき生成位置まで移動する図形２３を表示画面２１内に表示させる。アイコン２２の表示位置から図形２３が移動した先で表示ウィンドウ２４が生成されるので、使用者は、指定したアイコン２２に関連して表示ウィンドウ２４が生成される生成位置を即座に確認することができる。従って、使用者が指定したアイコン２２に対応づけられた処理の実行に係る情報を見逃す可能性が低下する。
【００２５】
また本発明においては、表示画面２１内を移動する図形２３を表示する際に、図形２３が移動するアニメーションを表示するのではなく、アイコン２２の表示位置から表示ウィンドウ２４の生成位置まで表示位置をずらしながら図形２３の静止画像を順次表示することによって、移動する図形２３を表現する。このため、アイコン２２，２２，…の夫々についてアニメーションデータを用意しておく必要がなく、図形２２を移動させる範囲の自由度が広い。従って、アイコン２２の表示位置とアイコン２２に応じた表示ウィンドウ２４の生成位置とがどのような位置関係にあっても、アイコン２２の表示位置から表示ウィンドウ２４の生成位置まで移動させる図形２３の表示を容易に実行することができる。
【００２６】
なお、以上に説明した処理では、図形２３はボール状の形状をなす図形としたが、図形２３の形状は矩形状又は所定のキャラクター等のどのような形状であってもよい。また図形２３として、アイコン２２，２２，…の夫々について個別の図形を用いてもよい。例えば、特定のアイコン２２に固有の図形２３として、アイコン２２自体の画像を用いてもよい。
【００２７】
また本発明の情報処理装置である画像出力装置１は、録画すべき番組と録画先とを選択する場合等、連続して複数のアイコン２２の指定を受け付けた上で処理を実行することもある。この場合、画像出力装置１は、指定された複数のアイコン２２の夫々に応じた表示ウィンドウ２４を生成する前に、各アイコン２２の表示位置から各表示ウィンドウ２４の生成位置まで移動する複数の図形２３を表示画面２１内に表示させる。こうすることで、複数の表示ウィンドウ２４が表示画面１２内に生成される場合でも、使用者が指定したアイコン２２に応じて生成される表示ウィンドウ２４を見失わずに確認することが可能となる。
【００２８】
なお本実施の形態においては、本発明の情報処理装置である画像出力装置１は、リモコン３及びリモコン受信部１４を用いて使用者からの指示を受け付ける形態を示したが、これに限るものではなく、使用者からの指示を受け付けるタッチパネル等の操作部を画像出力装置１の本体に備える形態であってもよい。また本実施の形態においては、本発明の情報処理装置である画像出力装置１は、外部のテレビジョン受像機２に画像を表示させる処理を行う形態を示したが、これに限るものではなく、液晶ディスプレイ等の表示画面を画像出力装置１の本体に備え、この表示画面に画像を表示させる処理を行う形態であってもよい。
【００２９】
また本実施の形態においては、本発明の情報処理装置として画像出力装置１の例を示したが、これに限るものではなく、本発明の情報処理装置は、テレビジョン受像機、ＰＣ又は携帯電話機等のその他の装置であってもよい。
【図面の簡単な説明】
【００３０】
【図１】本発明の情報処理装置の一例である画像出力装置の内部構成を示すブロック図である。
【図２】テレビジョン受像機が画像を表示した表示画面の例を示す模式図である。
【図３】画像出力装置が表示画面内にアイコン２２に応じた表示ウィンドウを生成させる処理の手順を示すフローチャートである。
【図４】表示ウィンドウを生成する際の表示例を示す模式図である。
【符号の説明】
【００３１】
１  画像出力装置（情報処理装置）
１１  制御部
１３  ＲＯＭ
１４  リモコン受信部（受付手段）
２  テレビジョン受像機
２１  表示画面
２２  アイコン（表示項目）
２３  図形
２４  表示ウィンドウ（表示領域）
３  リモコン
【図１】
2007094530.tif 000003
【図２】
2007094530.tif 000004
【図３】
2007094530.tif 000005
【図４】
2007094530.tif 000006